(57)【要約】【課題】名札装着具自体を衣類等の被装着物から着脱することなく、名札類の表裏を替えて掲示したり、２種類の名札類のいずれかを選択して掲示したりできるようにする。【解決手段】名札類Ｎを保持する名札保持部３と、衣類等の被装着物を挟持するクリップ部１と、前記札保持部３と前記クリップ部１とを両者を結ぶ線と交差する面上で互いに回動自在に連結する回動部２とを含むことを構成とする。名札保持部３に名札類Ｎが保持された状態で、クリップ部１によって被装着物を挟持する。そして、名札類Ｎの掲示しようとする面が正面側になるように、回動部２を介してクリップ部１に対し名札保持部３を回動させることにより、名札保持部３の向きを調節する。【選択図】        図１
2004173846.tif 000002
【特許請求の範囲】
【請求項１】
名札類を保持する名札保持部と、衣類等の被装着物を挟持するクリップ部と、前記札保持部と前記クリップ部とを両者を結ぶ線と交差する面上で互いに回動自在に連結する回動部とを含むことを特徴とする名札装着具。
【請求項２】
前記クリップ部は、互いの対向部分に挟持面がそれぞれ形成され両挟持面の間隔を変更可能な一対の挟持体と、これら一対の挟持体の挟持面が所定距離以上離れた状態と近接した状態とに切り替える切替レバーとを含む構成である請求項１に記載の名札装着具。
【請求項３】
前記回動部のクリップ側部分を前記切替レバーに連結した請求項２に記載の名札装着具。
【請求項４】
前記回動部は、前記名札保持部と前記クリップ部とが所定の相対位相にある状態が他の状態よりも安定する構成とした請求項１乃至３のいずれかに記載の名札装着具。
【発明の詳細な説明】
【０００１】
【発明の属する技術分野】
この発明は、名札類を衣類等の被装着物に装着するための名札装着具に関する。
【０００２】
【従来の技術】
名札類を衣類に装着するのに安全ピンを使用することが多いが、これには衣類の生地を傷める、生地の種類によっては装着が困難である、着脱操作が面倒である等の問題点がある。そこで、これらの問題点を解決するものとして、例えば図６に示すクリップ式の名札装着具（例えば、特許文献１参照。）が実用化されている。
【０００３】
【特許文献１】
実開平０５−０９５３５８
【０００４】
この名札装着具Ｂは、互いの対向部分に挟持面４０ａ，４１ａがそれぞれ形成され両挟持面の間隔を変更可能な一対の挟持体４０，４１と、これら一対の挟持体の挟持面が所定距離以上離れた状態と近接した状態とに切り替える切替レバー４３とを備え、一方の挟持体４１に名札保持部４２を一体に取り付けた構成になっている。
【０００５】
一対の挟持体４０，４１の挟持面４０ａ，４１ａが離れている状態（図示の状態）で、両挟持面４０ａ，４１ａの間に衣類等の被装着物を挿入する。そして、切替レバー４３を下方に回動させると、両挟持体の挟持面４０ａ，４１ａが接近して、一対の挟持体４０，４１が被装着物を挟持する。例えば、一対の挟持体４０，４１で上着の胸ポケットを挟持させれば、名札保持部４２に保持された名札類Ｎが吊り下げられた状態で掲示される。切替レバー４３を元の位置に戻すと、名札類ごと名札装着具を被装着物から外すことができる。このように、被装着物に挟持させて装着するので、どのような生地の衣類にも、生地を傷めることなく名札類を装着できる。しかも、その着脱操作は容易である。
【０００６】
【発明が解決しようとする課題】
ところで、名札類の着用を必要とする場所を休憩等で離れる際、その都度、名札類を外すのは、外した名札類を紛失するおそれがある。また、外した名札類の適当な保管場所がないこともある。このため、名札類を掲示する必要がないときには、名札類を裏返しにすることが多い。その場合、上記従来の名札装着具Ｂでは、名札類を表裏逆にして名札保持部４２に入れ直さなければならず、作業が面倒である。また、２種類の名札類を場所によって使い分ける場合には、場所ごとに名札類を入れ替えなければならない。本発明は、このような不都合を解消するためになされたものであり、名札装着具自体を衣類等の被装着物から着脱することなく、名札類の表裏を替えて掲示したり、２種類の名札類のいずれかを選択して掲示したりできるようにすることを課題としている。
【０００７】
【課題を解決するための手段】
上記課題を解決するために本発明は下記の構成とした。すなわち、本発明にかかる名札装着具は、名札類を保持する名札保持部と、衣類等の被装着物を挟持するクリップ部と、前記名札保持部と前記クリップ部とを両者を結ぶ線と交差する面上で互いに回動自在に連結する回動部とを含むことを特徴としている。
【０００８】
名札保持部に名札類が保持された状態で、クリップ部によって被装着物を挟持する。そして、名札類の掲示しようとする面が正面側になるように、回動部を介してクリップ部に対し名札保持部を回動させることにより、名札保持部の向きを調節する。この状態から、クリップ部に対し名札保持部を１８０度回動させると、名札類の反対側の面が掲示される。名札保持部に２枚の名札類が重ねて保持されている場合、クリップ部に対し名札保持部を１８０度ずつ回動させることにより、２枚の名札類のいずれかを選択して掲示することができる。
【０００９】
前記クリップ部は、互いの対向部分に挟持面がそれぞれ形成され両挟持面の間隔を変更可能な一対の挟持体と、これら一対の挟持体の挟持面が所定距離以上離れた状態と近接した状態とに切り替える切替レバーとを含む構成とするのが好適である。
【００１０】
この構成のクリップ部は、一対の挟持体の挟持面が離れている状態で両挟持面の間に被装着物を挿入し、両挟持面が近接する状態となる側へ切替レバーを操作することにより、一対の挟持体で被装着物を挟持する。このように、被装着物に挟持させて装着するので、どのような生地の衣類にも、生地を傷めることなく名札類を確実に装着できる。また、切替レバーの操作だけで被装着物の挟持とその解除とを切り替えられるので、名札類の着脱が容易である。
【００１１】
また、上記クリップ部の構成とした場合、前記回動部のクリップ側部分を前記切替レバーに連結するのが好ましい。この構成であると、一対の挟持体の挟持面が所定距離以上離れた状態にあるとき、名札保持部を被装着物から離れて位置させることができるので、一対の挟持体の挟持面間に被装着物を挿入しやすい。
【００１２】
さらに、前記回動部は、前記名札保持部と前記クリップ部とが所定の相対位相にある状態が他の状態よりも安定する構成とするのが実用上好都合である。例えば、回動部が安定する名札保持部とクリップ部との相対位相を１８０度間隔で２個所設定すれば、名札保持部に保持されている名札類の表裏いずれをも安定して掲示できる。
【００１３】
【発明の実施の形態】
以下、図面に基づき本発明を具体的に説明する。図１は本発明による名札装着具の一例に示す斜視図であり、この名札装着具Ａは、クリップ部１と回動部２と名札保持部３とで構成されている。
【００１４】
図２及び図３にクリップ部の構造を示す。クリップ部１は、下端部の対向部に挟持面１０ａ，１１ａがそれぞれ形成された一対の挟持体１０，１１を備えている。挟持面１０ａ，１１ａには、滑り止めのための小突起が多数形成されている。両挟持体１０，１１は上端部で互いに連結一体化されている。一方の挟持体（第１挟持体とする）１０は全体が剛体に形成されているのに対し、他方の挟持体（第２挟持体とする）１１は第１挟持体１０との連結部分が弾性を有する形態に形成されている。このため、第２挟持体１１を第１挟持体１０側に撓ませて、両者の挟持面１０ａ，１１ａの間隔を変更可能である。
【００１５】
第１挟持体１０には左右一対のレバー支持片１２，１２が一体に形成され、該レバー支持片の丸孔１２ａ，１２ａに凸部１３ａ，１３ａを嵌合させて、切替レバー１３が回動自在に設けられている。この切替レバー１３は、回動支点側の端部に作用部１３ｂが直角方向に形成された略Ｌ字型で、コーナー部は滑らかな曲面状になっている。第２挟持体１１と切替レバー１３との間には、両端部が第２挟持体１１に接し中央部が切替レバー１３に接する板バネ１４が介装されている。この板バネ１４は、その中央部左右両側に形成されている切欠部１４ａ，１４ａがレバー支持片１２，１２に係合することにより、上下方向にずれないようになっている。
【００１６】
切替レバー１３が図示の位置である「開位置」にある状態では、第２挟持体１１に外力がかかっておらず、第１挟持体１０の挟持面１０ａと第２挟持体１１の挟持面１１ａとの間隔が所定距離だけ開いている。この状態から切替レバー１３を下方に回動させると、作用部１３ｂが板バネ１４を介して第２挟持体１１を第１挟持体１０の側に押圧し、両挟持面１０ａ，１１ａの間隔が狭まる。切替レバー１３が所定の角度になると両挟持面１０ａ，１１ａが当接（両挟持面１０ａ，１１ａの間に被装着物が介在する場合には近接）し、それ以降は切替レバー１３の回動が板バネ１４の撓みに吸収される。そして、第２挟持体１１に当接する「閉位置」で切替レバー１３の回動が規制される。切替レバー１３の角度が所定値を超えると板バネ１４の撓み量が減少化すなわち板バネ１４の反力が減少化するので、切替レバー１３は「開位置」から「閉位置」へ自然復帰しない。
【００１７】
また、第１挟持体１０と第２挟持体１１との連結個所の近傍に、安全ピン１５が回動自在に取り付けられている。なお、この安全ピン１５は必ずしも取り付ける必要はない。
【００１８】
図４及び図５に回動部の構造を示す。回動部２は、名札保持部３に連結された軸受体２０に前記切替レバー１３と一体の回動軸２１が回動可能に支持されている。これにより、クリップ部１と名札保持部３とを両者を結ぶ線Ｌ−Ｌと交差する面上で互いに回動自在に連結している。軸受体２０の軸受穴２２及び回動軸２１の断面はいずれも楕円形になっている。軸受体２０及び回動軸２１は弾性を有する合成樹脂材で成形されているため、回動軸２１の長径部が軸受穴２２の短径部を乗り越えて回動可能ではあるが、回動軸２１の長径部と軸受穴２２の長径部とが合致する位置、すなわち１８０度ずつ回動させた位置で安定するようにっている。回動軸２１にはフランジ部２１ａ，２１ｂが形成されており、回動軸２１は軸方向の移動が規制されている。
【００１９】
名札保持部３は、重ね合わせた２枚の透明な合成樹脂板３０，３１の３辺を溶着して成形されており、２枚の合成樹脂板の間に名札類Ｎを収容するようになっている。大きい方の合成樹脂板３０にはハトメ３２によって一部分が分断可能な連結帯３３が取り付けられ、この連結帯３３を回動部２の連結穴２３に挿通して、名札保持部３が回動部２に連結されている。
【００２０】
使用に際しては、名札保持部３に名札類を入れ、クリップ部１で衣類等の被装着物を挟持して装着する。挟持の方法は、切替レバー１３を「開位置」にして一対の挟持体１０，１１が開いた状態にしておき、その一対の挟持体１０，１１の間に被装着物を挿入し、切替レバー１３を「閉位置」へ回動操作する。滑り止め加工が施された挟持面１０ａ，１１ａで被装着物を挟み付けるので、確実に被装着物を挟持する。回動部２はクリップ部１に対し名札保持部３を１８０度ずつ回動させた位置で安定するようになっているので、装着された名札類は表裏いずれかが正確に正面を向いている。名札類の裏面が正面側を向いている場合は、回動部２を介してクリップ部１に対し名札保持部３を回動させればよい。
【００２１】
【発明の効果】
以上の説明から明らかなように、請求項１乃至４に記載の名札装着具は、回動部を介してクリップ部と名札保持部とを両者を結ぶ線と交差する面上で互いに回動させられるので、名札装着具自体を衣類等の被装着物から着脱することなく、名札類の表裏を替えて掲示したり、２種類の名札類のいずれかを選択して掲示したりできるようになった。
【００２２】
特に、請求項２に記載の構成とすれば、どのような生地の衣類にも、生地を傷めることなく名札類を確実に装着でき、しかもその着脱が容易であるという効果を奏する。
【００２３】
また、請求項３に記載の構成とすれば、一対の挟持体の挟持面間に被装着物を挿入しやすいという効果を奏する。
【００２４】
さらに、請求項４に記載の構成とすれば、名札類の掲示したい面が常に適正な向きを向くようにすることができるという効果を奏する。
【図面の簡単な説明】
【図１】本発明による名札装着具の斜視図である。
【図２】クリップ部の側面図である。
【図３】クリップ部の正面図である。
【図４】回動部の正面断面図である。
【図５】図４のＳ−Ｓ断面図である。
【図６】従来の名札装着具の斜視図である。
【符号の説明】
Ａ  名札装着具
Ｎ  名札類
１  クリップ部
２  回動部
３  名札保持部
１０  第１挟持体
１０ａ，１１ａ  挟持面
１１  第２挟持体
１３  切替レバー
１４  板バネ
【図１】
2004173846.tif 000003
【図２】
2004173846.tif 000004
【図３】
2004173846.tif 000005
【図４】
2004173846.tif 000006
【図５】
2004173846.tif 000007
【図６】
2004173846.tif 000008